(57)【要約】      （修正有）【課題】モップに手を触れることなく簡単にモップを絞ることができる水絞り機能付きモップを提供。【解決手段】支承棒２１上に可動スリーブを設置２２し、支承棒上で上下に移動し、支承棒末端に組合わされた端頭２１０が、可動スリーブの脱落を防止し、且つ、可動スリーブ一端は、凸柱を形成し、端辺は歯止め部を形成する。可動スリーブ上に定位スリーブ２３を設置し、これも凸柱を形成し、ねじにより支承棒と螺固し、内環壁面上に、複数のフックを設置し、モップ布１５の一端が支承棒の端頭に固定され、もう一端が可動スリーブに連結される。よって、可動スリーブが上下に移動する時、モップ布の引き伸ばし動作を制御し、且つ、歯止め部とフックの係合により、可動スリーブの反転を防止し、モップの水分を効果的に絞ることができる。【選択図】図３
0003148245.tif 000002
【実用新案登録請求の範囲】
【請求項１】
絞り機能付きモップであって、主に、支承棒、可動スリーブ、定位スリーブ、及び、グリップからなり、その特徴は、前記可動スリーブは凸柱を形成し、末端は歯止め装置を設置し、前記定位スリーブは、開口を有し、内環壁は複数のフックを有して、前記歯止め装置と係合し、且つ、単一方向で回転し、反転を防止することを特徴とする絞り機能付きモップ。
【請求項２】
前記フックは鋭部を形成することを特徴とする請求項１に記載の絞り機能付きモップ。
【請求項３】
前記定位スリーブの開口端壁上にスロットを開設することを特徴とする請求項１に記載の絞り機能付きモップ。
【考案の詳細な説明】
【技術分野】
【０００１】
本考案は、絞り機能付きモップに関するものであって、特に、歯止め装置と係止フックの定位により、モップ絞り動作が簡単、且つ、省力で行えると共に、絞り動作時に、反転するのを防止し、モップの水切りを確実にする絞り機能付きモップに関するものである。
【背景技術】
【０００２】
図１で示されるように、公知のモップは、グリップ１１、固定素子１２、可動グリップ１３、結束環１４、環状に広がる細い棒状になったモップ布１５、両束帯１６、及び、鞘１７からなる。
【０００３】
固定素子１２は、スリーブ１２１上端に挿結柱１２２を有し、スリーブ１２１内部は、容納槽１２１１を開設すると共に、横向けの貫通孔１２１２を設置する。可動グリップ１３上端は、縦向けの弾性槽１３１１、外螺紋１３１２、及び、凸部１３１３を有する鎖束部１３１を有し、下端は、拡大状の束固盤１３２を有する。結束環１４内に、内螺紋１４１、及び、斜面１４２を有し、モップ布１５上下端は、それぞれ、穿孔１５１、１５２を有する。結束環１４、及び、可動グリップ１３が下から上にグリップ１１外縁を滑り、結束環１４の内螺紋１４１と可動グリップ１３上端の鎖束部１３１の外螺紋１３１２が螺合し、固定素子１２の挿結柱１２２が、グリップ１１下端に挿入固定され、モップ布１５下端は束帯１６により穿孔１５２を穿過して結束後、固定素子１２のスリーブ１２１の容納槽１２１１内に塞入され、鞘１７で固定する。
【０００４】
使用時、図２を参照すると、可動グリップ１３の重量下滑で、モップ布１５が放射状に広がり、床の清掃が実行できる。モップ布１５が汚れたら、水でモップの汚れを落とし、絞る時に、可動グリップ１３を上に引き、モップ布１５を可動グリップ１３とグリップ１１前端の固定素子１２の間に伸張し、続いて、手で可動グリップ１３を握り、もう一つの手でグリップ１１を旋転させて、モップ布１５を帯動してひねると、水分がきれる。
【０００５】
公知のモップは、既に絞り機能を有しているが、絞る時、きついほど、反動が大きくなり、絞りが甘くなり、特に、モップは構成素子が多いので、組み立てに困難度が増加し、且つ、製造コストも高い。
【考案の開示】
【考案が解決しようとする課題】
【０００６】
本考案の目的は、絞り機能付きモップを提供し、上述の問題を改善することにある。
【課題を解決するための手段】
【０００７】
本考案の絞り機能付きモップは、特に、歯止め装置とフックの係合により、効果的に、モップの水を絞る時に生じる反転を防止するモップの新設計である。主に、支承棒上に可動スリーブを設置し、支承棒上で上下に移動し、支承棒末端は、一端頭が、可動スリーブの脱落を防止し、且つ、可動スリーブ一端は、凸柱を形成し、端辺は歯止め部を形成する。可動スリーブ上に定位スリーブを設置し、これも凸柱を形成し、ねじにより支承棒と螺固し、内環壁面上に、複数のフックを設置し、モップ一端が支承棒の端頭に固定され、もう一端が可動スリーブに連結される。よって、可動スリーブが上下に移動する時、モップ布の引き伸ばし動作を制御し、且つ、歯止め部とフックの係合により、可動スリーブの反転を防止し、モップの水分を効果的に絞ることができる。
【考案の効果】
【０００８】
本考案により、モップに手を触れることなく、簡単に、モップを絞ることができる。
【考案を実施するための最良の形態】
【０００９】
図３は、本考案の立体外観図で、モップは、主に、支承棒２１、可動スリーブ２２、定位スリーブ２３、及び、グリップ２４からなる。支承棒２１末端に位置する端頭２１０は、モップ布２１１の一端に固定され、もう一端は可動スリーブ２２上に結合されて、可動スリーブ２２は、支承棒２１上で移動できる。可動スリーブ２２上端に、定位スリーブ２３を設置し、可動スリーブ２２と係合し、定位スリーブ２３上端はグリップ２４である。
【００１０】
モップ布２１１の固接方式は、図４で示されるように、支承棒２１末端が端頭２１０を固接し、上端は定位部２１０１を形成し、通孔２１０２を開設して、支承棒２１を置入する。且つ、定位部２１０１上に螺紋２１０３を設置し、リング２１２を螺合する。端頭２１０底端開口内に固定柱２１３を有し、螺栓２１４により、モップ布２１１を端頭２１０に固定し、もう一端は、可動スリーブ２２底端の凸環２２０上に結合される。可動スリーブ２２が、支承棒２１上で上下に移動する時、モップ布２１１は圧制、或いは、引き伸ばしできる。
【００１１】
次に、可動スリーブ２２と定位スリーブ２３の構造は、図５、及び、図５−Aを参照し、可動スリーブ２２は、支承棒２１上に接続されて、上下に移動でき、定位スリーブ２３は、支承棒２１上方に固定され、可動スリーブ２２上端は、凸柱２２１を形成するとともに、末端は、歯止め部２２２を形成する。可動スリーブ２２が移動する時、凸柱２２１は、歯止め部２２２に伴って移動する。定位スリーブ２３も凸柱２３１を形成し、支承棒２１上に穿設され、ねじ２３２により定位される。その下端の開口２３０内は、複数のフック２３０１を設置し、且つ、外環は、スロット２３０３を開設し、定位スリーブ２３と歯止め部２２２が係合する時、力が開口２３０を破裂するのを防止する。可動スリーブ２２と定位スリーブ２３の作動時、図６を参照すると、可動スリーブ２２を上に引いて、歯止め部２２２を定位スリーブ２３の開口２３０内に置入し、フック２３０１と結合し、その後、可動スリーブ２２を回転させ、歯止め部２２２上の斜面設置により、フック２３０１を滑過し、停止して、反転を防止する。
【００１２】
図７は、本考案の実際の使用時の立体図で、モップ２を下向けに可動スリーブ２２を推動し、歯止め部２２２を定位スリーブ２３の開口２３０内のフック２３０１から脱離させ（図６を参照する）、可動スリーブ２２が、支承棒２１に沿って下滑し、モップ布２１１を圧制して、湾曲変形させて、展開させ、端頭２１０の阻止を受け（図示しない）、支承棒２１を脱離しない。使用者は、グリップ２４を握って、床掃除し、モップ布２１１が汚れると、モップ２を持ち上げて、水中に入れ、可動スリーブ２２を上下移動させ、モップ布２１１を水中で揉み洗いして、表面に付着した汚れを落とす。その後、モップ布２１１を水面に引き出し、汚れは完全に落ちていないが、モップ布２１１は水分を十分に吸収し、この時、可動スリーブ２２を上に引き、歯止め部２２２を定位スリーブ２３のフック２３０１に置入し、モップ布２１１をまっすぐな状態にし、その後、時計回りで可動スリーブ２２を回転させ、モップ布２２１を旋転させて、水を切り（図８で示される）、手で触れることなく、モップ布２１１を絞ることができる。
【００１３】
可動スリーブ２２と定位スリーブ２３の係合動作は、図９と図１０を参照し、定位スリーブ２３内壁周縁に、複数のフック２３０１を設置し、可動スリーブ２２の凸柱２２１の歯止め部２２２を置入する時、歯止め部２２２はフック２３０１の鋭部２３０２で停止されて、歯止め部２２２は反時計回りに回転しない。よって、モップ布２２１の水分を絞りたい時、時計回りで可動スリーブ２２を回転させると、歯止め部２２２がフック２３０１から鋭部２３０２に滑過し、鋭部２３０２で停止し、絞られたモップ布２１１が緩まず、可動スリーブ２２を何度も回転させる時、モップ布２１１はしっかりと絞られて、水分が少なくなり、歯止め部２２２がフック２３０１の係合を外れると、モップ布２１１は緩み、可動スリーブ２２を下向けに圧制して、モップ布２１１をばらすか、或いは、固まった状態で、床掃除に使用する。
【図面の簡単な説明】
【００１４】
【図１】公知のモップの立体分解図である。
【図２】公知のモップの立体図である。
【図３】本考案の立体外観図である。
【図４】本考案のモップ装着図である。
【図５】本考案の局部分解図である。
【図５−Ａ】本考案の可動スリーブと定位スリーブの作動図である。
【図６】本考案の局部立体図である。
【図７】本考案の使用時の立体図である。
【図８】本考案のモップ布絞り時の状態図である。
【図９】本考案の回転時の横断面図である。
【図１０】本考案の係合時の横断面図である。
【符号の説明】
【００１５】
グリップ１１
固定素子１２
スリーブ１２１
挿結柱１２２
容納槽１２１１
貫通孔１２１２
可動グリップ１３
鎖束部１３１
束固盤１３２
弾性槽１３１１
外螺紋１３１２
凸部１３１３
結束環１４
内螺紋１４１
斜面１４２
モップ布１５
穿孔１５１、１５２
両束帯１６
鞘１７
支承棒２１
端頭２１０
モップ布２１１
リング２１２
固定柱２１３
螺栓２１４
定位部２１０１
通孔２１０２
螺紋２１０３
可動スリーブ２２
凸環２２０
凸柱２２１
歯止め部２２２
定位スリーブ２３
開口２３０
凸柱２３１
ねじ２３２
フック２３０１
鋭部２３０２
スロット２３０３
グリップ２４
【図１】
0003148245.tif 000003
【図２】
0003148245.tif 000004
【図３】
0003148245.tif 000005
【図４】
0003148245.tif 000006
【図５】
0003148245.tif 000007
【図５−Ａ】
0003148245.tif 000008
【図６】
0003148245.tif 000009
【図７】
0003148245.tif 000010
【図８】
0003148245.tif 000011
【図９】
0003148245.tif 000012
【図１０】
0003148245.tif 000013
【手続補正書】
【提出日】平成20年11月21日(2008.11.21)
【手続補正１】
【補正対象書類名】実用新案登録請求の範囲
【補正対象項目名】請求項１
【補正方法】変更
【補正の内容】
【請求項１】
絞り機能付きモップであって、支承棒、可動スリーブ、定位スリーブ、及び、グリップからなり、その特徴は、前記可動スリーブは凸柱を形成し、末端は歯止め装置を設置し、前記定位スリーブは、開口を有し、内環壁は複数のフックを有して、前記歯止め装置と係合し、且つ、単一方向で回転し、反転を防止することを特徴とする絞り機能付きモップ。